(57)【要約】【課題】  超小型携帯温風器【解決手段】  本発明の超小型携帯温風器は、直流、交流の電源を選ばず太陽光発電のような自然から発生する電力においても運転を可能にした温風器であり、線状面状発熱体１２を瞬間加熱することにより、送風ファン２より送られる空気を一瞬に空気に放熱加温することが可能な為、常時安定した温風を発生させることができる。また、化石燃料を燃焼させることなく人体および環境に対して無害であり、環境の負荷がなく瞬間に必要な熱量を取り出すことのできる高効率の超小型携帯温風器である。【選択図】図１
2007309627.tif 000002
【特許請求の範囲】
【請求項１】
送風ファンと線状面状発熱体〔特許文献１〕線状面状発熱体及び線状面状発熱体の製造及びそれらを特徴とする加熱装置−特願２００３−１３７９６４号を組込んである本体を一体とし、送風ファンより発生する空気を発熱体回路を通過させることにより、瞬間に温風を発生させる。蓄熱材また化石燃料等を使用することなく、瞬時に必要な温度を得ることが可能なことを特徴とする超小型携帯温風器。
【請求項２】
発熱体回路内に設置されている線状面状発熱体の数量、回路数、及び送風ファンの風量を変化させることにより、一般家庭、事務所内等の局所、小空間における様々な状況、形態に関し設定でき、吹き出し角度を初期調整可能な機能を設けていることを特徴とする超小型携帯温風器。
【請求項３】
電源コードを使用せず直接壁面に設置されている電源接続部に取付可能な形態を有し、直流電源６Ｖ〜２４Ｖ、単相交流商用電源１００Ｖの電源及び太陽光発電から発生する電力にて使用可能なことを特徴とする超小型携帯温風器。
【発明の詳細な説明】
【技術分野】
【０００１】  本発明は、一般家庭、事務所内等の局所、小空間における様々な状況、形態に関して化石燃料を使用せず、環境負荷のない安心で安全な携帯可能な超小型携帯温風器に開する。
【背景技術】
【０００２】  従来の温風器等は、軸流ファン等から送られて流動する気体（空気）を化石燃料等を燃焼炉内にて燃焼させ発生する燃焼熱を蓄熱利用し、送風装置から燃焼室へ送風することにより、温風を発生させている。また電気式に温風を発生させる方式も８００Ｗ〜１５００Ｗの電力を使用し、温風を発生させ暖房をとる温風器も従来から用いられている。
【発明の開示】
【発明が解決しようとする課題】
【０００３】  しかしながら、上記した従来の温風器は化石燃料を燃焼させる方式また消費電力の大きい電気式温風器であるため、燃焼式では、人体、環境にも有害な二酸化炭素や一酸化炭素、窒素酸化物、硫黄酸化物等が発生し、地球環境を悪化させてしまう。また、電気式温風器においても二次的な二酸化炭素の発生は抑制するが、消費電力が高いため、全体の環境に対しては改善が必要であることは、周知の事実である。【０００４】  さらにまた、前記した従来の加熱方式では、燃焼時にガスが発生するため、十分な換気を行わなければいけないために、換気時に発生した熱量も同時に排熱してしまう問題もあった。【０００５】  また、現在使用されているシーズヒーター、カーボンヒーター、ニクロム線ヒーター等を利用した電気式温風器においては、比熱が大きいため、流動する空気を瞬時に充分加熱する事が難しいといった問題があった。【０００６】  本発明は、上記した課題を解決すべく成されたものであり、人体に無害で環境を汚染する物質の発生もなく、効率良く、一般家庭、事務所内等の局所、小空間における様々な状況、形態に関して、低電力で加温する事が可能な超小型携帯温風器を提供使用とするものである。
【課題を解決するための手段】
【０００７】  本発明は上記課題を解決するために成された物であり、請求項１では本体１内に組み込まれている線状面状発熱体１２と、この発熱体回路１４から発生する熱を本体外に温風として送風するための送風用ファン２を後部に備えたものである。【０００８】  また送風ファンの容量として、加温するに空間に関して絶対風量が必要となるため、風量として１ｍ３／ｍｉｎ〜２ｍ３／ｍｉｎの風量を発生可能な容量に選択する事が好ましく、その容量を発生するための送風ファン２の最大の形状が１０ｃｍ２以下とし、厚みは２．５ｃｍの送風ファンである事が好ましい。また送風ファン２と本体１が一体であり主電源回路が統一されていることを特徴とする。【０００９】  また送風ファン２と本体１に一体形成されている発熱体回路１４に組み込まれている線状発熱体１２は〔特許文献１〕線状面状発熱体及び線状面状発熱体の製造及びそれらを特徴とする加熱装置−特願２００３−１３７９６４号から構成されている事が好ましく、高温発熱させる為ポリエステル、ポリエチレンフィルムの被覆は必要としない。【００１０】  さらに線状面状発熱体１２は一定の間隔で回路設計され本体１内にもうけられた取付ガイドピン８に固定設置をし、発熱容量に応じた回路をもうける事が良い。その時の発熱体回路吹出方向を自由に選択する為に取付ガイドピン８の位置を変化可能な形態に構成される。この時の取付ガイドピン８は発熱ボックス３に水平に取り付けられていることがよい。【００１１】  また送風ファン２と線状面状発熱体１２を組込んである本体１に電源接続部７ａ、７ｂを一体化させ壁面コンセントに直接接続可能なよう形成することがよい。
【発明の効果】
【００１２】  本発明は、直流電源６Ｖ〜２４Ｖ、単相交流商用電源１００Ｖ、また太陽光発電により発生する電力を使用し、線状面状発熱体１２を瞬間加熱することにより、送風ファン２より送られる空気が取付カイドピン８により回路構成されている発熱体１２と接触して、一瞬に空気に放熱加温することが可能な為、常時安定した温風を発生させることができる。
【発明を実施するための最良の形態】
【００１３】以下図１〜図９を参照しつつ本発明の実施の形態について説明する。図１は本発明の実施の形態に係る超小型携帯温風器の概略を示す全体の斜視図である。図２は本体１に取付ける発熱体回路の電極ターミナル端子の斜視図である。図３は取付けガイドピン８に線状面状発熱体を組込みをした斜視図である。図４は本体取付電源接続部である。図５は送風ファンの斜視図である。図６は本体１の上部にある切替スイッチの図である。図７は本体１の上部にあるタイマーの図である。図８は超小型携帯温風器の内部の発熱体回路１４を示す図である。図９は電気回路図である。【００１４】  図１に示されているように本発明の実施の形態に係る超小型携帯温風器は、電源接続部１１に接線される直流電源６Ｖ〜２４Ｖ、単相交流商用電源１００Ｖ、また太陽光発電により発生する電源を電源接続部１１の端子７ａ、７ｂを通して端子部６ａ、６ｂのプラグから温風器本体へ取り入れ、本体後部に設けられた送風ファン２から発生する風を本体１に回路設置された線状発熱体１２を組み込んだ取付けガイドピン８と接触し温風吹出口３から送風する様構成されている。【００１５】  また本体１に組み込まれているターミナル端子４のボルト５ｄ、５ｃにて接続されている、導線９ａ、９ｂが電源接続部１１の端子部６ａ、６ｂを通じて電源を取り入れている。図３の取付けガイドピン８に組み込まれている線状発熱体１２を発熱するよう構成されている。【００１６】  本発明における超小型携帯温風器は、局所暖房としての使用に際して電源コンセントコードを使用し、本体１と直接接続すること、また本体に接続されている電源接続部１１を直接コンセントに差し込み温風を発生すること、太陽光発電により発電した電力をＤＣ−ＤＣコンバータ、ＤＣ−ＡＣインバータを通しアダプターを取り付け温風器本体１に接続可能なように構成し選択出来ることが好ましい。
【発明の実施の形態例】
【００１７】  以下に本発明の実施の形態例をあげ、添付図面を参照して本発明の実施の形態を具体的かつ、より詳細に説明する。
【００１８】  本発明の超小型携帯温風器は送風ファン２と本体１が一体形成されており、本体１に組み込まれているターミナル端子４は電源接続部送風ファン２と本体１の接合部吹出し方向に図２のターミナル端子４が接続されており、ボルト５ｃ、５ｄにて電源接続部１１から形成される端子部６ａ、６ｂと導線９ａ、９ｂにより接続結線され一次側の入力電力を引き込むよう形成されている。
【００１９】上記ターミナル端子４から接続され通電し発生する電流は、ターミナル端子のボルト５ａ、５ｂ、５ｃ、５ｄにより発熱体に送られ、加熱、加温されるよう接続されている。またその時に各温度帯を選択可能な切替スイッチ４３を調整する事により、電源入、切および２５０Ｗ、５００Ｗへの切り替え選択を行えるよう設定が可能である。
【００２０】  また、図１の超小型携帯温風器上部には切替スイッチ１３とは別に図７のタイマー４６を設置する事により０〜６０分の自動運転機能を持たせる。
【００２１】  図８は温風器本体１へ発熱体回路を組み込んだ断面図であり、図３の取付ガイドピン８を巻くように線状面状発熱体１２が構成され発熱体回路１４となる。また、発生される熱量及び風向きを変化させるために、図８の取付カイドピン３８の位置を移動することが可能な形態をなしている。
【００２２】  図９は、電気回路図である。１次側から供給される電源１８の電流が、電源接続部４１からタイマー４６に入り切替スイッチ４３を通し送風ファン３２及び発熱体回路１４に通電されるように構成されていることがよい。
【００２３】  本発明の上記した実施の形態により、化石燃料を燃焼させることなく人体および環境に対して無害であり、直流、交流の電源を選ばず太陽光発電のような自然から発生する電力においても運転を可能にした、環境の負荷がなく瞬間に必要な熱量を取り出すことのできる高効率の超小型携帯温風器である。
【００２４】  また上記した発熱体の形状や配置に関しては上記に限定されるものではなく変更が可能である。
【図面の簡単な説明】
【００２５】
【図１】本発明の実施の形態に係る超小型携帯温風器本体を示す斜視図である。
【図２】本発明の実施の形態に係るターミナル端子の斜視図である。
【図３】本発明の実施の形態に係る取付ガイドピンと線状面状発熱体の斜視図である。
【図４】本発明の実施の形態に係る電源接続部の斜視図である。
【図５】本発明の実施の形態に係る送風ファンの斜視図である。
【図６】本発明の実施の形態に係る切替スイッチの図である。
【図７】本発明の実施の形態に係るタイマーの図である。
【図８】本発明の実施の形態に係る超小型携帯温風器本体の断面図である。
【図９】本発明の実施の形態に係る電気回路図である。
【符号の説明】
【００２６】  １  本体
２、３２  送風ファン
３  温風吹出口
４、３４  ターミナル端子
５ａ、５ｂ、５ｃ、５ｄ、３５ａ、３５ｂ  ボルト
６ａ、６ｂ  端子部
７ａ、７ｂ  電源接続部端子
８、３８ａ、３８ｂ、３８ｃ、３８ｄ、３８ｅ、３８ｆ  取付ガイドピン
９ａ、９ｂ  導線
１０  送風ファン側導線
１１、４１  電源接続部
１２、４２  線状面状発熱体
１３、４３  切替スイッチ
１４  発熱体回路
１５ａ、１５ｂ  切替スイッチ取付穴
１６、４６  タイマー
１７ａ、１７ｂ  タイマー取付穴
１８  電源
【図１】
2007309627.tif 000003
【図２】
2007309627.tif 000004
【図３】
2007309627.tif 000005
【図４】
2007309627.tif 000006
【図５】
2007309627.tif 000007
【図６】
2007309627.tif 000008
【図７】
2007309627.tif 000009
【図８】
2007309627.tif 000010
【図９】
2007309627.tif 000011